(57)【要約】【課題】防火建具の防火性能を向上させることにある。【解決手段】縦枠を備える枠体と、前記枠体に対して開閉可能に取り付けられ、前記縦枠と対向する戸先框を備える戸体と、を有し、前記戸先框には錠が、前記縦枠には錠受けがそれぞれ備えられ、前記錠の見込み方向における一側方又は両側方には、前記錠を収容するための溝を前記戸先框に形成するための溝形成部が設けられている防火建具であって、前記溝形成部には、前記一側方又は両側方に位置する切り欠きが設けられており、該切り欠きに加熱発泡材が配置されていることを特徴とする防火建具。【選択図】図２
2016156199.tif 000002
【特許請求の範囲】
【請求項１】
縦枠を備える枠体と、
前記枠体に対して開閉可能に取り付けられ、前記縦枠と対向する戸先框を備える戸体と、を有し、
前記戸先框には錠が、前記縦枠には錠受けがそれぞれ備えられ、
前記錠の見込み方向における一側方又は両側方には、前記錠を収容するための溝を前記戸先框に形成するための溝形成部が設けられている防火建具であって、
前記溝形成部には、前記一側方又は両側方に位置する切り欠きが設けられており、
該切り欠きに加熱発泡材が配置されていることを特徴とする防火建具。
【請求項２】
請求項１に記載の防火建具において、
前記加熱発泡材は第一加熱発泡材であり、
前記錠の上方と下方には、第二加熱発泡材が配置されており、
前記第一加熱発泡材と前記第二加熱発泡材は連続していることを特徴とする防火建具。
【請求項３】
請求項１又は請求項２に記載の防火建具において、
前記錠を収容するための溝と前記加熱発泡材との間にスペーサーが配置され、前記加熱発泡材が貼付された前記スペーサーが、
前記溝形成部の前記縦枠と対向する対向面と前記加熱発泡材の前記縦枠と対向する対向面とが面一となるように、前記縦枠から前記戸先框へ向かう方向における前記加熱発泡材と前記戸先框との間に挿入されていることを特徴とする防火建具。
【請求項４】
請求項３に記載の防火建具において、
前記スペーサーには孔が設けられ、該孔に前記錠が備えられていることを特徴とする防火建具。
【請求項５】
縦枠を備える枠体と、
前記枠体に対して開閉可能に取り付けられ、前記縦枠と対向する戸先框を備える戸体と、を有し、
前記戸先框には錠が、前記縦枠には錠受けがそれぞれ備えられ、
前記錠受けの見込み方向における一側方又は両側方には、前記錠受けを収容するための溝を前記縦枠に形成するための溝形成部が設けられている防火建具であって、
前記溝形成部には、前記一側方又は両側方に位置する切り欠きが設けられており、
該切り欠きに加熱発泡材が配置されていることを特徴とする防火建具。
【請求項６】
請求項５に記載の防火建具において、
前記加熱発泡材は第一加熱発泡材であり、
前記錠受けの上方と下方には、第二加熱発泡材が配置されており、
前記第一加熱発泡材と前記第二加熱発泡材は連続していることを特徴とする防火建具。
【請求項７】
請求項５又は請求項６に記載の防火建具において、
前記錠受けを収容するための溝と前記加熱発泡材との間にスペーサーが配置され、前記加熱発泡材が貼付された前記スペーサーが、
前記溝形成部の前記戸先框と対向する対向面と前記加熱発泡材の前記戸先框と対向する対向面とが面一となるように、前記戸先框から前記縦枠へ向かう方向における前記加熱発泡材と前記縦枠との間に挿入されていることを特徴とする防火建具。
【請求項８】
請求項７に記載の防火建具において、
前記スペーサーには孔が設けられ、該孔に前記錠受けが備えられていることを特徴とする防火建具。
【発明の詳細な説明】
【技術分野】
【０００１】
本発明は、防火建具に関する。特に、枠体と、当該枠体に対して開閉可能に取り付けられた戸体と、を有する防火建具に関する。
【背景技術】
【０００２】
枠体と枠体に対して開閉可能に取り付けられた戸体とを備える建具は、既によく知られている。かかる建具においては、枠体に縦枠が設けられ、戸体に当該縦枠に対向する戸先框が設けられている。そして、このような建具の中には、戸先框に錠が、縦枠に錠受けがそれぞれ備えられているものがある。
【先行技術文献】
【特許文献】
【０００３】
【特許文献１】特開平９−３１０５６０号公報
【発明の概要】
【発明が解決しようとする課題】
【０００４】
ところで、建具を防火建具とするために、縦枠や戸先框に加熱発泡材を設けることがある。このように加熱発泡材を設けることにより、火災の際に、縦枠と戸先框との間の隙間を発泡した加熱発泡材で埋めることができ、火炎や空気の通り道を塞ぐことが可能となる。
【０００５】
しかしながら、戸先框には錠が、縦枠には錠受けがついているため、これらの箇所には、加熱発泡材を取り付けることが困難であった。そのため、従来、これらの箇所には、加熱発泡材が取り付けられておらず、錠と錠受けとの間の隙間から火炎が伝播したり、加熱空気が流入してしまう虞があった。
【０００６】
本発明は、かかる課題に鑑みてなされたものであり、その目的とするところは、防火建具の防火性能を向上させることにある。
【課題を解決するための手段】
【０００７】
かかる目的を達成するために本発明の防火建具は、縦枠を備える枠体と、
前記枠体に対して開閉可能に取り付けられ、前記縦枠と対向する戸先框を備える戸体と、を有し、
前記戸先框には錠が、前記縦枠には錠受けがそれぞれ備えられ、
前記錠の見込み方向における一側方又は両側方には、前記錠を収容するための溝を前記戸先框に形成するための溝形成部が設けられている防火建具であって、
前記溝形成部には、前記一側方又は両側方に位置する切り欠きが設けられており、
該切り欠きに加熱発泡材が配置されていることを特徴とする防火建具である。
【０００８】
このような防火建具によれば、防火建具の防火性能を向上させることが可能となる。
【０００９】
かかる防火建具であって、
前記加熱発泡材は第一加熱発泡材であり、
前記錠の上方と下方には、第二加熱発泡材が配置されており、
前記第一加熱発泡材と前記第二加熱発泡材は連続していることが望ましい。
【００１０】
このような防火建具によれば、防火建具の防火性能をより一層向上させることが可能となる。
【００１１】
かかる防火建具であって、
前記錠を収容するための溝と前記加熱発泡材との間にスペーサーが配置され、前記加熱発泡材が貼付された前記スペーサーが、
前記溝形成部の前記縦枠と対向する対向面と前記加熱発泡材の前記縦枠と対向する対向面とが面一となるように、前記縦枠から前記戸先框へ向かう方向における前記加熱発泡材と前記戸先框との間に挿入されていることが望ましい。
【００１２】
このような防火建具によれば、溝形成部の縦枠と対向する対向面と加熱発泡材の縦枠と対向する対向面とが面一なので、溝形成部の切り欠き端面が加熱発泡材で覆われるため人体に外傷を負わせることを防止することが可能となる。
【００１３】
かかる防火建具であって、
前記スペーサーには孔が設けられ、該孔に前記錠が備えられていることが望ましい。
【００１４】
このような防火建具によれば、人体に外傷を負わせることを簡易な構成で防止することが可能となる。
【００１５】
次に、縦枠を備える枠体と、
前記枠体に対して開閉可能に取り付けられ、前記縦枠と対向する戸先框を備える戸体と、を有し、
前記戸先框には錠が、前記縦枠には錠受けがそれぞれ備えられ、
前記錠受けの見込み方向における一側方又は両側方には、前記錠受けを収容するための溝を前記縦枠に形成するための溝形成部が設けられている防火建具であって、
前記溝形成部には、前記一側方又は両側方に位置する切り欠きが設けられており、
該切り欠きに加熱発泡材が配置されていることを特徴とする防火建具。
【００１６】
このような防火建具によれば、防火建具の防火性能を向上させることが可能となる。
【００１７】
かかる防火建具であって、
前記加熱発泡材は第一加熱発泡材であり、
前記錠受けの上方と下方には、第二加熱発泡材が配置されており、
前記第一加熱発泡材と前記第二加熱発泡材は連続していることが望ましい。
【００１８】
このような防火建具によれば、防火建具の防火性能をより一層向上させることが可能となる。
【００１９】
かかる防火建具であって、
前記錠受けを収容するための溝と前記加熱発泡材との間にスペーサーが配置され、前記加熱発泡材が貼付された前記スペーサーが、
前記溝形成部の前記戸先框と対向する対向面と前記加熱発泡材の前記戸先框と対向する対向面とが面一となるように、前記戸先框から前記縦枠へ向かう方向における前記加熱発泡材と前記縦枠との間に挿入されていることが望ましい。
【００２０】
このような防火建具によれば、溝形成部の戸先框と対向する対向面と加熱発泡材の戸先框と対向する対向面とが面一なので、溝形成部の切り欠き端面が加熱発泡材で覆われるため人体に外傷を負わせることを防止することが可能となる。
【００２１】
かかる防火建具であって、
前記スペーサーには孔が設けられ、該孔に前記錠受けが備えられていることが望ましい。
【００２２】
このような防火建具によれば、人体に外傷を負わせることを簡易な構成で防止することが可能となる。
【発明の効果】
【００２３】
本発明によれば、防火建具の防火性能を向上させることが可能となる。
【図面の簡単な説明】
【００２４】
【図１】玄関引戸１０の戸先框４２周辺を示した横断面図である。
【図２】戸先框４２の縦枠２２との対向面４２ａを示した図である。
【図３】図２のＡ−Ａ、Ｂ−Ｂ、Ｃ−Ｃ断面図である。
【図４】縦枠２２の戸先框４２との対向面２２ａを示した図である。
【図５】玄関ドア１１０の戸先框１４２周辺を示した横断面図である。
【図６】戸先框１４２の縦枠１２２との対向面１４２ａを示した図である。
【図７】図６のＡ−Ａ、Ｂ−Ｂ、Ｃ−Ｃ断面図である。
【図８】縦枠１２２の戸先框１４２との対向面１２２ａを示した図である。
【図９】縦枠２２２の戸先框１４２との対向面２２２ａを示した他の実施例の図である。
【発明を実施するための形態】
【００２５】
＝＝＝第一実施形態に係る防火建具（玄関引戸１０）について＝＝＝
本実施の形態（第一実施形態とする）に係る防火建具の一例としての玄関引戸１０について、図１乃至図４を用いて説明する。図１は、玄関引戸１０の戸先框４２周辺を示した横断面図である。図２は、戸先框４２の縦枠２２との対向面４２ａを示した図である。図３は、図２の断面図である。図４は、縦枠２２の戸先框４２との対向面２２ａを示した図である。
【００２６】
なお、図１においては、錠５０、加熱発泡材６０、スペーサー７０、錠受け３０の記載を省略している。また、図３の（ａ）は、図２のＡ−Ａ断面を、図３の（ｂ）は、図２のＢ−Ｂ断面を、図３の（ｃ）は、図２のＣ−Ｃ断面をそれぞれ表している。
【００２７】
なお、以下の説明においては、玄関引戸１０を室内側から見たときに、上下となる方向を上下方向、左右となる方向を左右方向、室内外方向である奥行き方向を見込み方向として示す。
【００２８】
本実施形態の玄関引戸１０は、枠体２０と戸体の一例としての障子４０とを備えている。
【００２９】
枠体２０は、上枠（図示せず）と、下枠（図示せず）と、左右の縦枠２２と、を備えている（一方の縦枠２２のみ図示）。そして、枠体２０は、これら４つの枠体が矩形状に枠組みされて、全体として開口を形成している。上枠と下枠は、左右方向に延びた長尺状の部材であり、縦枠２２は、上下方向に延びた長尺状の部材である。
【００３０】
障子４０は、枠体２０により形成された前記開口に収容される部材である。障子４０は、枠体２０に対して、開閉可能に取り付けられている。より具体的には、障子４０は、枠体２０に対して左右方向にスライド可能に取り付けられている。
【００３１】
障子４０は、框体を備えている。框体は、上框（図示せず）と、下框（図示せず）と、左右の縦框と、を備えている。なお、本実施の形態においては、一方の縦框、すなわち、戸先框４２のみを図示している。上框と下框は、左右方向に延びた長尺状の部材であり、縦框（戸先框４２）は、上下方向に延びた長尺状の部材である。
【００３２】
そして、図１に示すように、障子４０が閉まった状態において、戸先框４２は縦枠２２と対向している。すなわち、戸先框４２の縦枠２２と対向する対向面４２ａと、縦枠２２の戸先框４２と対向する対向面２２ａが、向かい合っている。そして、戸先框４２（の当該対向面４２ａ）には、錠５０（錠ケースを含む）が、縦枠２２（の当該対向面２２ａ）には、錠受け３０（錠受けケースを含む）が、それぞれ設けられており、錠５０と錠受け３０も互いに対向している。そして、互いに対向する錠５０と錠受け３０は、施錠の際に係合するようになっている。
【００３３】
次に、戸先框４２の錠５０周辺の構成について、主として図２及び図３を参照しつつ説明する。
【００３４】
錠５０は、図２に示すように、戸先框４２に固定されており、戸先框４２の縦枠２２との対向面４２ａを見た際に、矩形形状を備えている。つまり、錠５０の錠受け３０（縦枠２２側）に対向する対向面（以下、便宜上、錠対向面５０ａと呼ぶ）は、長辺方向が上下方向に沿い短辺方向が見込み方向に沿った矩形形状を備えている。
【００３５】
そして、戸先框４２には、当該錠５０を収容するための溝４３が形成されている。この溝４３は、上下方向において戸先框４２の上端部から下端部に亘って設けられており、戸先框４２の中央部において、錠５０が溝４３に収容されている。
【００３６】
また、この溝４３は、溝形成部４４により形成されている。本実施の形態に係る溝形成部４４は、溝４３の見込み方向における一側方又は両側方（本実施の形態においては、両側方）に位置するエッジ材である。そして、溝４３に錠５０が収容されているため、錠５０の見込み方向における一側方又は両側方（本実施の形態においては、両側方）に溝形成部４４が位置する（設けられる）こととなっている。
【００３７】
なお、溝形成部４４は、溝形成部４４の見込み方向における最も内側の端（つまり、後述する切り欠き４６が仮に無かった場合の内側の端。単に、先端４４ａと呼ぶ）の見込み方向における位置が錠５０の見込み方向における最も外側の端（外側端５０ｂ）と略一致するように、設けられている。また、溝形成部４４は、溝形成部４４の錠受け３０（縦枠２２側）に対向する対向面（以下、便宜上、溝形成部対向面４４ｂと呼ぶ）と錠対向面５０ａが面一となるように、設けられている。
【００３８】
また、溝形成部４４は、戸先框４２の上端部から下端部に亘って設けられているが、上下方向において溝形成部４４の錠５０に対応する位置には、矩形状の切り欠き４６が備えられている。換言すれば、切り欠き４６は、錠５０の見込み方向における一側方又は両側方（本実施の形態においては、両側方）に位置している。
【００３９】
この切り欠き４６は、当該切り欠き４６に後述する加熱発泡材６０（第一加熱発泡材６２）を配置させるために設けられている。つまり、図２に示すように、見込み方向における錠５０と溝形成部４４との間に、溝形成部４４を切り欠いてスペースを作り、このスペースに第一加熱発泡材６２を配置するようにしている。
【００４０】
第一加熱発泡材６２は、若干の厚みを有するシート状の部材であり、火災の際に火炎に晒されると膨張して、その体積が大きくなる。そして、このことにより、戸先框４２と縦枠２２との隙間を埋め、火炎の通り道を塞ぐ機能を有する。第一加熱発泡材６２は、前述した切り欠き４６に配置されているため、錠５０の見込み方向における一側方又は両側方（本実施の形態においては、両側方）に位置している。しかしながら、第一加熱発泡材６２は、錠５０の上方及び下方にも位置している。
【００４１】
具体的に説明すると、図２に示すように、第一加熱発泡材６２は、錠５０の見込み方向における両側方に位置する第一部分６２ａと、錠５０の上方及び下方に位置する第二部分６２ｂと、第一部分６２ａの上方及び下方に位置し、かつ、第二部分６２ｂの両側方に位置し、第一部分６２ａと第二部分６２ｂを繋ぐ第三部分６２ｃと、を備えている（図２において、各部分を、仮想的な破線で囲うことにより表している）。
【００４２】
このように、第一加熱発泡材６２は、図２に示すように、錠５０より一回り大きい矩形形状を備え、錠５０の周囲を隙間無く囲うように備えられている。換言すれば、第一加熱発泡材６２には、その中央に孔６２ｄが設けられ、当該孔６２ｄに錠５０が備えられている（収まっている）。
【００４３】
なお、切り欠き４６は、前述したとおり、錠５０の見込み方向における両側方に位置しているが、上下方向においては、錠５０の上端５０ｃを超えて上側に、また、下端５０ｄを超えて下側に延びている（上端５０ｃを超えた上側部分と下端５０ｄを超えた下側部分にも設けられている）。そして、切り欠き４６の当該上側部分と下側部分に前記第三部分６２ｃが配置されている。
【００４４】
また、図３（ａ）や図３（ｂ）に示すように、縦枠２２から戸先框４２へ向かう方向（つまり、左右方向）における第一加熱発泡材６２と戸先框４２（具体的には、戸先框４２のうち、溝４３の底部４３ａに相当する部分）との間には、具体的には錠５０を収容するための溝４３と第一加熱発泡材６２との間に、スペーサー７０が設けられており、このスペーサー７０に第一加熱発泡材６２が貼付されている。
【００４５】
このスペーサー７０を設けた理由は、以下の通りである。すなわち、仮にスペーサー７０が存在せず第一加熱発泡材６２を直接的に前記底部４３ａに貼付した場合には、第一加熱発泡材６２が縦枠２２から戸先框４２へ向かう方向における奥側へ位置することとなるため、溝形成部４４に切り欠き４６を形成したことにより生じた切断面４４ｃ（つまり、カットした面）が露出してしまう。露出した当該切断面４４ｃに人体が接触すると危険なので、当該切断面４４ｃを露出させないようにするために、スペーサー７０を設けて第一加熱発泡材６２を縦枠２２から戸先框４２へ向かう方向における手前側へ位置させるようにしている。
【００４６】
つまり、本実施の形態においては、図３（ａ）や図３（ｂ）に示すように、前記溝形成部対向面４４ｂと、スペーサー７０に貼付された第一加熱発泡材６２の錠受け３０（縦枠２２）に対向する対向面（以下、便宜上、第一発泡材対向面６２ｅと呼ぶ）と、が面一となるように、スペーサー７０を設けている。換言すれば、溝形成部対向面４４ｂと第一発泡材対向面６２ｅが面一となるように（スペーサー７０の厚さと第一加熱発泡材６２の厚さの和が溝４３の深さと同じになるように）、スペーサー７０の厚みが設定されている。そのため、切断面４４ｃが第一加熱発泡材６２で塞がれ切断面４４ｃが露出しないようになっている。
【００４７】
本実施の形態においては、第一加熱発泡材６２がスペーサー７０の上に適切に乗るように、スペーサー７０の上下方向及び見込み方向における大きさ（サイズ）は、第一加熱発泡材６２の大きさ（サイズ）と同様となっている。すなわち、スペーサー７０の上下方向における上端７０ａ、下端７０ｂの位置と、第一加熱発泡材の上下方向における上端６２ｆ、下端６２ｇの位置は略一致し、スペーサー７０の見込み方向における側端７０ｃの位置と、第一加熱発泡材６２の見込み方向における側端６２ｈの位置は略一致している。
【００４８】
そして、スペーサー７０も、第一加熱発泡材６２と同様、図２に示すように、錠５０より一回り大きい矩形形状を備え、錠５０の周囲を隙間無く囲うように備えられている。換言すれば、スペーサー７０には、その中央に孔７０ｄが設けられ、当該孔７０ｄに錠５０が備えられている（収まっている）。
【００４９】
以上のように、スペーサー７０は、溝形成部対向面４４ｂと第一発泡材対向面６２ｅとが面一となるように、左右方向における第一加熱発泡材６２と戸先框４２（底部４３ａに相当する部分）との間に設けられている。
【００５０】
また、本実施の形態においては、加熱発泡材６０として、第一加熱発泡材６２の他に第二加熱発泡材６４が設けられている。この第二加熱発泡材６４も、第一加熱発泡材６２と同様、若干の厚みを有するシート状の部材であり、火災の際に火炎に晒されると膨張して、その体積が大きくなる。そして、このことにより、隙間を埋め、火炎の通り道を塞ぐ機能を有する。
【００５１】
第二加熱発泡材６４は、錠５０の上方と下方に配置されている。より具体的には、第二加熱発泡材６４は、前述した第一加熱発泡材６２（スペーサー７０）の上方と下方にそれぞれ配置され、溝４３に沿って上下方向に延びている（形成されている）。
【００５２】
また、第二加熱発泡材６４は、第一加熱発泡材６２とは異なり、スペーサー７０ではなく、溝４３の底部４３ａに貼付されている。そのため、第二加熱発泡材６４は第一加熱発泡材６２よりも縦枠２２から戸先框４２へ向かう方向における奥側に位置している。そして、本実施の形態においては、第一加熱発泡材６２と第二加熱発泡材６４は連続している。ここで、「連続している」とは、戸先框４２の対向面４２ａを見た際に（換言すれば、加熱発泡材６０の厚み方向から加熱発泡材６０を見た際に）、第一加熱発泡材６２と第二加熱発泡材６４との間に空隙がなく双方が繋がっていることを意味する。すなわち、第二加熱発泡材６４の方が第一加熱発泡材６２よりも奥側に位置することにより、双方が実際には繋がっていない場合であってもよく、加熱発泡材６０の厚み方向（つまり、左右方向）において繋がっているか否かは問わない。
【００５３】
次に、縦枠２２の錠受け３０周辺の構成について、主として図４を参照しつつ説明する。
【００５４】
錠受け３０は、縦枠２２に固定されており、縦枠２２の戸先框４２との対向面２２ａを見た際に、矩形形状を備えている。つまり、錠受け３０の錠５０（戸先框４２）に対向する対向面（便宜上、錠受け対向面３０ａと呼ぶ）は、長辺方向が上下方向に沿い短辺方向が見込み方向に沿った矩形形状を備えている。
【００５５】
また、加熱発泡材６０（第三加熱発泡材６６）が、錠受け３０の上方と下方にそれぞれ配置され、上下方向に延びている（形成されている）。なお、第一加熱発泡材６２とは異なり、第三加熱発泡材６６は、錠受け３０の見込み方向における側方には位置していない。
【００５６】
＜＜＜第一実施形態に係る防火建具（玄関引戸１０）の有効性について＞＞＞
上述した通り、第一実施形態に係る玄関引戸１０は、縦枠２２を備える枠体２０と、枠体２０に対して開閉可能に取り付けられ、縦枠２２と対向する戸先框４２を備える障子４０と、を有することとした。また、戸先框４２には錠５０が、縦枠２２には錠受け３０がそれぞれ備えられていることとした。また、錠５０の見込み方向における両側方には、錠５０を収容するための溝４３を戸先框４２に形成するための溝形成部４４が設けられていることとした。そして、溝形成部４４には、前記両側方に位置する切り欠き４６が設けられており、該切り欠き４６に加熱発泡材６０（第一加熱発泡材６２）が配置されていることとした。そのため、防火建具（玄関引戸１０）の防火性能を向上させることが可能となる。
【００５７】
戸先框４２には錠５０が、縦枠２２には錠受け３０がついているため、これらの箇所には、加熱発泡材６０を取り付けることが困難であった。そのため、従来、これらの箇所には、加熱発泡材６０が取り付けられておらず、錠５０と錠受け３０との間の隙間から火炎が伝播したり、加熱空気が流入してしまう虞があった。
【００５８】
これに対し、第一実施形態においては、溝形成部４４に、錠５０の見込み方向における両側方に位置する切り欠き４６を形成し、この切り欠き４６に加熱発泡材６０（第一加熱発泡材６２）を配置した。つまり、溝形成部４４を切り欠いてスペースを作り、このスペースに加熱発泡材６０（第一加熱発泡材６２）を配置するようにした。そのため、錠５０と錠受け３０との間の隙間から発炎してしまうことが適切に防止され、防火建具（玄関引戸１０）の防火性能を向上させることが可能となる。
【００５９】
また、本実施の形態においては、加熱発泡材６０は第一加熱発泡材６２であり、錠５０の上方と下方には、第二加熱発泡材６４が配置されており、第一加熱発泡材６２と第二加熱発泡材６４は連続していることとした。
【００６０】
そのため、第一加熱発泡材６２と第二加熱発泡材６４が発泡した際に、第一加熱発泡材６２と第二加熱発泡材６４の間に隙間が生じることが抑止され（つまり、第一加熱発泡材６２と第二加熱発泡材６４が途切れない）、当該隙間から火炎が伝播したり、加熱空気が流入してしまうことが防止される。そのため、防火建具（玄関引戸１０）の防火性能をより一層向上させることが可能となる。
【００６１】
また、加熱発泡材６０が貼付されたスペーサー７０が、溝形成部４４の縦枠２２と対向する溝形成部対向面４４ｂと加熱発泡材６０（第一加熱発泡材６２）の縦枠２２と対向する第一発泡材対向面６２ｅとが面一となるように、縦枠２２から戸先框４２へ向かう方向における加熱発泡材６０と戸先框４２との間に挿入されていることとした。
【００６２】
そのため、前述したとおり、溝形成部４４に切り欠き４６を形成したことにより生じた切断面４４ｃを露出させないようにすることができ、人体に外傷を負わせることを防止することが可能となる。
【００６３】
また、スペーサー７０には孔７０ｄが設けられ、該孔７０ｄに錠５０が備えられていることとした。
【００６４】
スペーサー７０に孔７０ｄを設ければ、簡易な構成でスペーサー７０による第一加熱発泡材６２の支持が実現される。そのため、人体に外傷を負わせることを簡易な構成で防止することが可能となる。
【００６５】
＝＝＝第二実施形態に係る防火建具（玄関ドア１１０）について＝＝＝
次に、本実施の形態（第二実施形態とする）に係る防火建具の一例としての玄関ドア１１０について、図５乃至図８を用いて説明する。図５は、玄関ドア１１０の戸先框１４２周辺を示した横断面図である。図６は、戸先框１４２の縦枠１２２との対向面１４２ａを示した図である。図７は、図６の断面図である。図８は、縦枠１２２の戸先框１４２との対向面１２２ａを示した図である。
【００６６】
なお、図５においては、錠１５０、スペーサー１７０、錠受け１３０の記載を省略している。また、図７の（ａ）は、図６のＡ−Ａ断面を、図７の（ｂ）は、図６のＢ−Ｂ断面を、図７の（ｃ）は、図６のＣ−Ｃ断面をそれぞれ表している。
【００６７】
なお、以下の説明においては、玄関ドア１１０を室内側から見たときに、上下となる方向を上下方向、左右となる方向を左右方向、室内外方向である奥行き方向を見込み方向として示す。
【００６８】
本実施形態の玄関ドア１１０は、枠体１２０と戸体の一例としてのドア本体１４０とを備えている。
【００６９】
枠体１２０は、上枠（図示せず）と、下枠（図示せず）と、左右の縦枠１２２と、を備えている（一方の縦枠１２２のみ図示）。そして、枠体１２０は、これら４つの枠体が矩形状に枠組みされて、全体として開口を形成している。上枠と下枠は、左右方向に延びた長尺状の部材であり、縦枠１２２は、上下方向に延びた長尺状の部材である。
【００７０】
ドア本体１４０は、枠体１２０により形成された前記開口に収容される部材である。ドア本体１４０は、枠体１２０に対して、開閉可能に取り付けられている。より具体的には、ドア本体１４０は、見込み方向に開いたり閉じたりできるようになっている。
【００７１】
ドア本体１４０は、框体を備えている。框体は、上框（図示せず）と、下框（図示せず）と、左右の縦框と、を備えている。なお、本実施の形態においては、一方の縦框、すなわち、戸先框１４２のみを図示している。上框と下框は、左右方向に延びた長尺状の部材であり、縦框（戸先框１４２）は、上下方向に延びた長尺状の部材である。
【００７２】
そして、図５に示すように、ドア本体１４０が閉まった状態において、戸先框１４２は縦枠１２２と対向している。すなわち、戸先框１４２の縦枠１２２と対向する対向面１４２ａと、縦枠１２２の戸先框１４２と対向する対向面１２２ａが、向かい合っている。そして、戸先框１４２（の当該対向面１４２ａ）には、錠１５０（錠ケースを含む）が、縦枠１２２（の当該対向面１２２ａ）には、錠受け１３０（錠受けケースを含む）が、それぞれ設けられており、錠１５０と錠受け１３０も互いに対向している。そして、互いに対向する錠１５０と錠受け１３０は、施錠の際に係合するようになっている。
【００７３】
次に、戸先框１４２の錠１５０周辺の構成について、主として図６及び図７を参照しつつ説明する。なお、当該錠１５０周辺の構成については、第一実施形態で説明した構成と略同様である。
【００７４】
錠１５０は、図６に示すように、戸先框１４２に固定されており、戸先框１４２の縦枠１２２との対向面１４２ａを見た際に、矩形形状を備えている。つまり、錠１５０の錠受け１３０（縦枠１２２側）に対向する錠対向面１５０ａは、長辺方向が上下方向に沿い短辺方向が見込み方向に沿った矩形形状を備えている。
【００７５】
そして、戸先框１４２には、当該錠１５０を収容するための溝１４３が形成されている。この溝１４３は、上下方向において戸先框１４２の上端部から下端部に亘って設けられており、戸先框１４２の中央部において、錠１５０が溝１４３に収容されている。
【００７６】
また、この溝１４３は、溝形成部１４４により形成されている。本実施の形態に係る溝形成部１４４は、溝１４３の見込み方向における一側方又は両側方（本実施の形態においては、両側方）に位置するエッジ材である。そして、溝１４３に錠１５０が収容されているため、錠１５０の見込み方向における一側方又は両側方（本実施の形態においては、両側方）に溝形成部１４４が位置する（設けられる）こととなっている。
【００７７】
なお、溝形成部１４４は、溝形成部１４４の見込み方向における最も内側の端（つまり、後述する切り欠き１４６が仮に無かった場合の内側の端。単に、先端１４４ａと呼ぶ）の見込み方向における位置が錠１５０の見込み方向における最も外側の端（外側端１５０ｂ）と略一致するように、設けられている。また、溝形成部１４４は、溝形成部１４４の錠受け１３０（縦枠１２２側）に対向する溝形成部対向面１４４ｂと錠対向面１５０ａが面一となるように、設けられている。
【００７８】
また、溝形成部１４４は、戸先框１４２の上端部から下端部に亘って設けられているが、上下方向において溝形成部１４４の錠１５０に対応する位置には、矩形状の切り欠き１４６が備えられている。換言すれば、切り欠き１４６は、錠１５０の見込み方向における一側方又は両側方（本実施の形態においては、両側方）に位置している。
【００７９】
この切り欠き１４６は、当該切り欠き１４６に後述する加熱発泡材１６０（第一加熱発泡材１６２）を配置させるために設けられている。つまり、図２に示すように、見込み方向における錠１５０と溝形成部１４４との間に、溝形成部１４４を切り欠いてスペースを作り、このスペースに第一加熱発泡材１６２を配置するようにしている。
【００８０】
第一加熱発泡材１６２は、若干の厚みを有するシート状の部材であり、火災の際に火炎に晒されると膨張して、その体積が大きくなる。そして、このことにより、戸先框４２と縦枠２２との隙間を埋め、火炎の通り道を塞ぐ機能を有する。第一加熱発泡材１６２は、前述した切り欠き１４６に配置されているため、錠１５０の見込み方向における一側方又は両側方（本実施の形態においては、両側方）に位置している。しかしながら、第一加熱発泡材１６２は、錠１５０の上方及び下方にも位置している。
【００８１】
具体的に説明すると、図６に示すように、第一加熱発泡材１６２は、錠１５０の見込み方向における両側方に位置する第一部分１６２ａと、錠１５０の上方及び下方に位置する第二部分１６２ｂと、第一部分１６２ａの上方及び下方に位置し、かつ、第二部分１６２ｂの両側方に位置し、第一部分１６２ａと第二部分１６２ｂを繋ぐ第三部分１６２ｃと、を備えている（図６において、各部分を、仮想的な破線で囲うことにより表している）。
【００８２】
このように、第一加熱発泡材１６２は、図６に示すように、錠１５０より一回り大きい矩形形状を備え、錠１５０の周囲を隙間無く囲うように備えられている。換言すれば、第一加熱発泡材１６２には、その中央に孔１６２ｄが設けられ、当該孔１６２ｄに錠１５０が備えられている（収まっている）。
【００８３】
なお、切り欠き１４６は、前述したとおり、錠１５０の見込み方向における両側方に位置しているが、上下方向においては、錠１５０の上端１５０ｃを超えて上側に、また、下端１５０ｄを超えて下側に延びている（上端１５０ｃを超えた上側部分と下端１５０ｄを超えた下側部分にも設けられている）。そして、切り欠き１４６の当該上側部分と下側部分に前記第三部分１６２ｃが配置されている。
【００８４】
また、図７（ａ）や図７（ｂ）に示すように、縦枠１２２から戸先框１４２へ向かう方向（つまり、左右方向）における第一加熱発泡材１６２と戸先框１４２（具体的には、戸先框１４２のうち、溝１４３の底部１４３ａに相当する部分）との間には、具体的には錠１５０を収容するための溝１４３と第一加熱発泡材１６２との間に、スペーサー１７０が設けられており、このスペーサー１７０に第一加熱発泡材１６２が貼付されている。
【００８５】
このスペーサー１７０を設けた理由は、以下の通りである。すなわち、仮にスペーサー１７０が存在せず第一加熱発泡材１６２を直接的に前記底部１４３ａに貼付した場合には、第一加熱発泡材１６２が縦枠１２２から戸先框１４２へ向かう方向における奥側へ位置することとなるため、溝形成部１４４に切り欠き１４６を形成したことにより生じた切断面１４４ｃ（つまり、カットした面）が露出してしまう。露出した当該切断面１４４ｃに人体が接触すると危険なので、当該切断面１４４ｃを露出させないようにするために、スペーサー１７０を設けて第一加熱発泡材１６２を縦枠１２２から戸先框１４２へ向かう方向における手前側へ位置させるようにしている。
【００８６】
つまり、本実施の形態においては、図７（ａ）や図７（ｂ）に示すように、前記溝形成部対向面１４４ｂと、スペーサー１７０に貼付された第一加熱発泡材１６２の錠受け１３０（縦枠１２２）に対向する第一発泡材対向面１６２ｅと、が面一となるように、スペーサー１７０を設けている。換言すれば、溝形成部対向面１４４ｂと第一発泡材対向面１６２ｅが面一となるように（スペーサー１７０の厚さと第一加熱発泡材１６２の厚さの和が溝１４３の深さと同じになるように）、スペーサー１７０の厚みが設定されている。そのため、切断面１４４ｃが第一加熱発泡材１６２で塞がれ切断面１４４ｃが露出しないようになっている。
【００８７】
本実施の形態においては、第一加熱発泡材１６２がスペーサー１７０の上に適切に乗るように、スペーサー１７０の上下方向及び見込み方向における大きさ（サイズ）は、第一加熱発泡材１６２の大きさ（サイズ）と同様となっている。すなわち、スペーサー１７０の上下方向における上端１７０ａ、下端１７０ｂの位置と、第一加熱発泡材の上下方向における上端１６２ｆ、下端１６２ｇの位置は略一致し、スペーサー１７０の見込み方向における側端１７０ｃの位置と、第一加熱発泡材１６２の見込み方向における側端１６２ｈの位置は略一致している。
【００８８】
そして、スペーサー１７０も、第一加熱発泡材１６２と同様、図６に示すように、錠１５０より一回り大きい矩形形状を備え、錠１５０の周囲を隙間無く囲うように備えられている。換言すれば、スペーサー１７０には、その中央に孔１７０ｄが設けられ、当該孔１７０ｄに錠１５０が備えられている（収まっている）。
【００８９】
以上のように、スペーサー１７０は、溝形成部対向面１４４ｂと第一発泡材対向面１６２ｅとが面一となるように、左右方向における第一加熱発泡材１６２と戸先框１４２（底部１４３ａに相当する部分）との間に設けられている。
【００９０】
また、本実施の形態においては、加熱発泡材１６０として、第一加熱発泡材１６２の他に第二加熱発泡材１６４が設けられている。この第二加熱発泡材１６４も、第一加熱発泡材１６２と同様、若干の厚みを有するシート状の部材であり、火災の際に火炎に晒されると膨張して、その体積が大きくなる。そして、このことにより、隙間を埋め、火炎の通り道を塞ぐ機能を有する。
【００９１】
第二加熱発泡材１６４は、錠１５０の上方と下方に配置されている。より具体的には、第二加熱発泡材１６４は、前述した第一加熱発泡材１６２（スペーサー１７０）の上方と下方にそれぞれ配置され、溝１４３に沿って上下方向に延びている（形成されている）。
【００９２】
また、第二加熱発泡材１６４は、第一加熱発泡材１６２とは異なり、スペーサー１７０ではなく、溝１４３の底部１４３ａに貼付されている。そのため、第二加熱発泡材１６４は第一加熱発泡材１６２よりも縦枠１２２から戸先框１４２へ向かう方向における奥側に位置している。そして、本実施の形態においては、第一加熱発泡材１６２と第二加熱発泡材１６４は連続している。
【００９３】
次に、縦枠１２２の錠受け１３０周辺の構成について、主として図８を参照しつつ説明する。
【００９４】
錠受け１３０は、縦枠１２２に固定されており、縦枠１２２の戸先框１４２との対向面１２２ａを見た際に、矩形形状を備えている。つまり、錠受け１３０の錠１５０（戸先框１４２）に対向する錠受け対向面１３０ａは、長辺方向が上下方向に沿い短辺方向が見込み方向に沿った矩形形状を備えている。
【００９５】
また、加熱発泡材１６０（第三加熱発泡材１６６）が、錠受け１３０の上方と下方にそれぞれ配置され、上下方向に延びている（形成されている）。なお、第一加熱発泡材１６２とは異なり、第三加熱発泡材１６６は、錠受け１３０の見込み方向における側方には位置していない。
【００９６】
そして、第二実施形態においても、第一実施形態の前述した作用効果と同様の作用効果が生じる。つまり、前述した「第一実施形態に係る防火建具（玄関引戸１０）の有効性について」の項において説明した事項は、第二実施形態にも当てはまる。
【００９７】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００９８】
上記実施の形態においては、防火建具としていずれも玄関に係る建具を例に挙げたが、これに限定されるものではなく、どの箇所の建具であってもよい。
【００９９】
また、上記実施の形態においては、防火建具として引戸やドアを例に挙げたが、これに限定されるものではない。例えば、窓であってもよい。
【０１００】
また、上記実施の形態においては、錠（戸先框）と錠受け（縦枠）のうち、錠（戸先框）側に、切り欠きや切り欠きに配置された加熱発泡材が備えられている例を示した。しかしながら、これに限定されるものではなく、錠受け（縦枠）側に、切り欠きや切り欠きに配置された加熱発泡材が備えられていることとしてもよい。以下において、錠受け（縦枠）側に、切り欠きや切り欠きに配置された加熱発泡材が備えられている例（第三実施形態と呼ぶ）について、図９を用いて説明する。図９は、縦枠２２２の対向面２２２ａを示した図である。
【０１０１】
＜＜＜第三実施形態について＞＞＞
錠受け２３０は、図９に示すように、縦枠２２２に固定されており、縦枠２２２の戸先框との対向面２２２ａを見た際に、矩形形状を備えている。つまり、錠受け２３０の錠（戸先框側）に対向する錠受け対向面２３０ａは、長辺方向が上下方向に沿い短辺方向が見込み方向に沿った矩形形状を備えている。
【０１０２】
そして、縦枠２２２には、当該錠受け２３０を収容するための溝２４３が形成されている。この溝２４３は、上下方向において縦枠２２２の上端部から下端部に亘って設けられており、縦枠２２２の中央部において、錠受け２３０が溝２４３に収容されている。
【０１０３】
また、この溝２４３は、溝形成部２４４により形成されている。本実施の形態に係る溝形成部２４４は、溝２４３の見込み方向における一側方又は両側方（本実施の形態においては、両側方）に位置するエッジ材である。そして、溝２４３に錠受け２３０が収容されているため、錠受け２３０の見込み方向における一側方又は両側方（本実施の形態においては、両側方）に溝形成部２４４が位置する（設けられる）こととなっている。
【０１０４】
なお、溝形成部２４４は、溝形成部２４４の見込み方向における最も内側の端（つまり、後述する切り欠き２４６が仮に無かった場合の内側の端。単に、先端２４４ａと呼ぶ）の見込み方向における位置が錠受け２３０の見込み方向における最も外側の端（外側端２３０ｂ）と略一致するように、設けられている。また、溝形成部２４４は、溝形成部２４４の錠（戸先框側）に対向する溝形成部対向面２４４ｂと錠受け対向面２３０ａが面一となるように、設けられている。
【０１０５】
また、溝形成部２４４は、縦枠２２２の上端部から下端部に亘って設けられているが、上下方向において溝形成部２４４の錠受け２３０に対応する位置には、矩形状の切り欠き２４６が備えられている。換言すれば、切り欠き２４６は、錠受け２３０の見込み方向における一側方又は両側方（本実施の形態においては、両側方）に位置している。
【０１０６】
この切り欠き２４６は、当該切り欠き２４６に後述する加熱発泡材２６０（第一加熱発泡材２６２）を配置させるために設けられている。つまり、図９に示すように、見込み方向における錠受け２３０と溝形成部２４４との間に、溝形成部２４４を切り欠いてスペースを作り、このスペースに第一加熱発泡材２６２を配置するようにしている。
【０１０７】
第一加熱発泡材２６２は、若干の厚みを有するシート状の部材であり、火災の際に火炎に晒されると膨張して、その体積が大きくなる。そして、このことにより、戸先框と縦枠２２２との隙間を埋め、火炎の通り道を塞ぐ機能を有する。第一加熱発泡材２６２は、前述した切り欠き２４６に配置されているため、錠受け２３０の見込み方向における一側方又は両側方（本実施の形態においては、両側方）に位置している。しかしながら、第一加熱発泡材２６２は、錠受け２３０の上方及び下方にも位置している。
【０１０８】
具体的に説明すると、図９に示すように、第一加熱発泡材２６２は、錠受け２３０の見込み方向における両側方に位置する第一部分２６２ａと、錠受け２３０の上方及び下方に位置する第二部分２６２ｂと、第一部分２６２ａの上方及び下方に位置し、かつ、第二部分２６２ｂの両側方に位置し、第一部分２６２ａと第二部分２６２ｂを繋ぐ第三部分２６２ｃと、を備えている（図９において、各部分を、仮想的な破線で囲うことにより表している）。
【０１０９】
このように、第一加熱発泡材２６２は、図９に示すように、錠受け２３０より一回り大きい矩形形状を備え、錠受け２３０の周囲を隙間無く囲うように備えられている。換言すれば、第一加熱発泡材２６２には、その中央に孔２６２ｄが設けられ、当該孔２６２ｄに錠受け２３０が備えられている（収まっている）。
【０１１０】
なお、切り欠き２４６は、前述したとおり、錠受け２３０の見込み方向における両側方に位置しているが、上下方向においては、錠受け２３０の上端２３０ｃを超えて上側に、また、下端２３０ｄを超えて下側に延びている（上端２３０ｃを超えた上側部分と下端２３０ｄを超えた下側部分にも設けられている）。そして、切り欠き２４６の当該上側部分と下側部分に前記第三部分２６２ｃが配置されている。
【０１１１】
また、戸先框から縦枠２２２へ向かう方向（つまり、左右方向）における第一加熱発泡材２６２と縦枠２２２（具体的には、縦枠２２２のうち、溝２４３の底部に相当する部分）との間には、具体的には錠受け２３０を収容するための溝２４３と第一加熱発泡材２６２との間に、スペーサー２７０が設けられており、このスペーサー２７０に第一加熱発泡材２６２が貼付されている。
【０１１２】
このスペーサー２７０を設けた理由は、以下の通りである。すなわち、仮に２スペーサー７０が存在せず第一加熱発泡材２６２を直接的に前記底部に貼付した場合には、第一加熱発泡材２６２が戸先框から縦枠２２２へ向かう方向における奥側へ位置することとなるため、溝形成部２４４に切り欠き２４６を形成したことにより生じた切断面２４４ｃ（つまり、カットした面）が露出してしまう。露出した当該切断面２４４ｃに人体が接触すると危険なので、当該切断面２４４ｃを露出させないようにするために、スペーサー２７０を設けて第一加熱発泡材２６２を戸先框から縦枠２２２へ向かう方向における手前側へ位置させるようにしている。
【０１１３】
つまり、本実施の形態においては、前記溝形成部対向面２４４ｂと、スペーサー２７０に貼付された第一加熱発泡材２６２の錠（戸先框）に対向する対向面（以下、便宜上、第一発泡材対向面２６２ｅと呼ぶ）と、が面一となるように、スペーサー２７０を設けている。換言すれば、溝形成部対向面２４４ｂと第一発泡材対向面２６２ｅが面一となるように（スペーサー２７０の厚さと第一加熱発泡材２６２の厚さの和が溝２４３の深さと同じになるように）、スペーサー２７０の厚みが設定されている。そのため、切断面２４４ｃが第一加熱発泡材２６２で塞がれ切断面２４４ｃが露出しないようになっている。
【０１１４】
本実施の形態においては、第一加熱発泡材２６２がスペーサー２７０の上に適切に乗るように、スペーサー２７０の上下方向及び見込み方向における大きさ（サイズ）は、第一加熱発泡材２６２の大きさ（サイズ）と同様となっている。すなわち、スペーサー２７０の上下方向における上端２７０ａ、下端２７０ｂの位置と、第一加熱発泡材の上下方向における上端２６２ｆ、下端２６２ｇの位置は略一致し、スペーサー２７０の見込み方向における側端２７０ｃの位置と、第一加熱発泡材２６２の見込み方向における側端２６２ｈの位置は略一致している。
【０１１５】
そして、スペーサー２７０も、第一加熱発泡材２６２と同様、図９に示すように、錠受け２３０より一回り大きい矩形形状を備え、錠受け２３０の周囲を隙間無く囲うように備えられている。換言すれば、スペーサー７０には、その中央に孔２７０ｄが設けられ、当該孔２７０ｄに錠受け２３０が備えられている（収まっている）。
【０１１６】
以上のように、スペーサー２７０は、溝形成部対向面２４４ｂと第一発泡材対向面２６２ｅとが面一となるように、左右方向における第一加熱発泡材２６２と縦枠２２２（底部に相当する部分）との間に設けられている。
【０１１７】
また、本実施の形態においては、加熱発泡材２６０として、第一加熱発泡材２６２の他に第二加熱発泡材２６４が設けられている。この第二加熱発泡材２６４も、第一加熱発泡材２６２と同様、若干の厚みを有するシート状の部材であり、火災の際に火炎に晒されると膨張して、その体積が大きくなる。そして、このことにより、隙間を埋め、火炎の通り道を塞ぐ機能を有する。
【０１１８】
第二加熱発泡材２６４は、錠受け２３０の上方と下方に配置されている。より具体的には、第二加熱発泡材２６４は、前述した第一加熱発泡材２６２（スペーサー２７０）の上方と下方にそれぞれ配置され、溝２４３に沿って上下方向に延びている（形成されている）。
【０１１９】
また、第二加熱発泡材２６４は、第一加熱発泡材２６２とは異なり、スペーサー２７０ではなく、溝２４３の底部に貼付されている。そのため、第二加熱発泡材２６４は第一加熱発泡材２６２よりも戸先框から縦枠２２２へ向かう方向における奥側に位置している。そして、本実施の形態においては、第一加熱発泡材２６２と第二加熱発泡材２６４は連続している。
【０１２０】
上述した通り、第三実施形態に係る玄関引戸２１０においては、錠受け２３０の見込み方向における両側方に、錠受け２３０を収容するための溝２４３を縦枠２２２に形成するための溝形成部２４４が設けられていることとした。そして、溝形成部２４４には、前記両側方に位置する切り欠き２４６が設けられており、該切り欠き２４６に加熱発泡材２６０（第一加熱発泡材２６２）が配置されていることとした。そのため、第一実施形態において説明した理由と同様の理由で、防火建具（玄関引戸２１０）の防火性能を向上させることが可能となる。
【０１２１】
また、本実施の形態においては、加熱発泡材２６０は第一加熱発泡材２６２であり、錠受け２３０の上方と下方には、第二加熱発泡材２６４が配置されており、第一加熱発泡材２６２と第二加熱発泡材２６４は連続していることとした。
【０１２２】
そのため、第一実施形態において説明した理由と同様の理由で、防火建具（玄関引戸２１０）の防火性能をより一層向上させることが可能となる。
【０１２３】
また、加熱発泡材２６０が貼付されたスペーサー２７０が、溝形成部２４４の戸先框と対向する溝形成部対向面２４４ｂと加熱発泡材２６０（第一加熱発泡材２６２）の戸先框と対向する第一発泡材対向面２６２ｅとが面一となるように、戸先框から縦枠２２２へ向かう方向における加熱発泡材２６０と縦枠２２２との間に挿入されていることとした。
【０１２４】
そのため、第一実施形態において説明した理由と同様の理由で、人体に外傷を負わせることを防止することが可能となる。
【０１２５】
また、スペーサー２７０には孔２７０ｄが設けられ、該孔２７０ｄに錠受け２３０が備えられていることとした。
【０１２６】
そのため、第一実施形態において説明した理由と同様の理由で、人体に外傷を負わせることを簡易な構成で防止することが可能となる。
【符号の説明】
【０１２７】
１０  玄関引戸
２０  枠体、２２  縦枠
３０  錠受け
４０  障子、４２  戸先框
４３  溝、４４  溝形成部、４４ｂ  溝形成部対向面
４６  切り欠き
５０  錠
６０  加熱発泡材
６２  第一加熱発泡材、６２ｅ  第一発泡材対向面、６４  第二加熱発泡材
７０  スペーサー、７０ｄ  孔
１１０  玄関ドア
１２０  枠体、１２２  縦枠
１３０  錠受け
１４０  ドア本体、１４２  戸先框
１４３  溝、１４４  溝形成部、１４４ｂ  溝形成部対向面
１４６  切り欠き
１５０  錠
１６０  加熱発泡材
１６２  第一加熱発泡材、１６２ｅ  第一発泡材対向面、１６４  第二加熱発泡材
１７０  スペーサー、１７０ｄ  孔
２１０  玄関引戸
２２２  縦枠
２３０  錠受け
２４３  溝、２４４  溝形成部、２４４ｂ  溝形成部対向面
２４６  切り欠き
２６０  加熱発泡材
２６２  第一加熱発泡材、２６２ｅ  第一発泡材対向面、２６４  第二加熱発泡材
２７０  スペーサー、２７０ｄ  孔
【図１】
2016156199.tif 000003
【図２】
2016156199.tif 000004
【図３】
2016156199.tif 000005
【図４】
2016156199.tif 000006
【図５】
2016156199.tif 000007
【図６】
2016156199.tif 000008
【図７】
2016156199.tif 000009
【図８】
2016156199.tif 000010
【図９】
2016156199.tif 000011